【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
トナー像を担持する像担持回転体と、前記像担持回転体と対向する対向回転体を備え、前記対向回転体と前記像担持回転体を圧接して前記像担持回転体と前記対向回転体の間に転写ニップを形成し、前記転写ニップに転写材を通すことにより、前記像担持回転体上のトナー像を前記転写材に転写する転写装置において、
前記対向回転体を回転可能に支持する支持部材を備え、該支持部材は電気接点を有しているとともに、前記圧接方向と略直交する方向から付勢しながら前記電気接点に当接する導電性弾性部材を有していることを特徴とする転写装置。
【請求項２】
請求項１記載の転写装置において、
前記導電性弾性部材は、前記対向回転体の回転軸方向から前記電気接点を付勢することを特徴とする請求項１記載の転写装置。
【請求項３】
請求項１又は２記載の転写装置において、
前記支持部材は、前記電気接点と電気的に接続され前記転写ニップを通過した後の前記転写材に当接する導電性部材を有していることを特徴とする転写装置。
【請求項４】
請求項１乃至３のうちの何れかに記載の転写装置において、
前記導電性弾性部材は、接地されていることを特徴とする転写装置。
【請求項５】
請求項４記載の転写装置において、
前記像担持回転体にバイアスを付与するバイアス付与手段を有しているとともに、前記電気接点は前記対向回転体の表面と電気的に接続されていることを特徴とする転写装置。
【請求項６】
請求項１乃至３のうちの何れかに記載の転写装置において、
前記導電性弾性部材は、電源に接続されていることを特徴とする転写装置。
【請求項７】
請求項６記載の転写装置において、
前記支持部材は、前記電気接点と電気的に接続され前記対向回転体にバイアスを付与するバイアス付手段を有していることを特徴とする転写装置。
【請求項８】
トナー像を担持する像担持回転体と、前記像担持回転体と対向する対向回転体を備え、前記対向回転体と前記像担持回転体を圧接して前記像担持回転体と前記対向回転体の間に転写ニップを形成し、前記転写ニップに転写材を通すことにより、前記像担持回転体上のトナー像を前記転写材に転写する転写装置において、
前記対向回転体を回転可能に支持する支持部材を備え、該支持部材は装置本体側の第１の電気接点と当接する第２の電気接点を有し、前記第１の電気接点と前記第２の電気接点は弾性力で当接し、両電気接点間に働く付勢力の向きは前記圧接方向と略直交する方向であることを特徴とする転写装置。
【請求項９】
請求項１乃至８のうちの何れかに記載の転写装置を有していることを特徴とする画像形成装置。
【手続補正２】
【補正対象書類名】明細書
【補正対象項目名】００１３
【補正方法】変更
【補正の内容】
【００１３】
請求項８記載の発明では、トナー像を担持する像担持回転体と、前記像担持回転体と対向する対向回転体を備え、前記対向回転体と前記像担持回転体を圧接して前記像担持回転体と前記対向回転体の間に転写ニップを形成し、前記転写ニップに転写材を通すことにより、前記像担持回転体上のトナー像を前記転写材に転写する転写装置において、前記対向回転体を回転可能に支持する支持部材を備え、該支持部材は装置本体側の第１の電気接点と当接する第２の電気接点を有し、前記第１の電気接点と前記第２の電気接点は弾性力で当接し、両電気接点間に働く付勢力の向きは前記圧接方向と略直交する方向であることを特徴とする。
請求項９記載の発明では、画像形成装置において、請求項１乃至８のうちの何れかに記載の転写装置を有していることを特徴とする。
【手続補正３】
【補正対象書類名】明細書
【補正対象項目名】００２８
【補正方法】変更
【補正の内容】
【００２８】
図４に示すように、２次転写ローラ５は、収容凹部を有するケーシング状に形成された支持部材６０に回転可能に支持されている。支持部材６０には、２次転写ローラ５の他に、転写紙２を中間転写ベルト１１と２次転写ローラ５の間の転写ニップへ搬送ガイドするガイド部材６１と、中間転写ベルト１１より転写紙２を分離させるための導電性部材としての除電針６２と、支持部材６０の着脱、運搬等の作業を行うための取手６３等が設けられている。除電針６２はその針形状部が、転写ニップを通過した後の転写紙２に当接（接触）するように設けられている。
支持部材６０は、図５に示す矢印６４方向に開閉可能なカバー部材６５に着脱自在に設けられており、カバー部材６５を開放すると、中間転写ベルト１１と２次転写ローラ５が離間して転写ニップが開放されるようになっている。
【手続補正４】
【補正対象書類名】明細書
【補正対象項目名】００３０
【補正方法】変更
【補正の内容】
【００３０】
図１に示すように、支持部材６０における２次転写ローラ５の軸方向一端側には、除電針６２の端部を垂直に立ち上げて形成した第２の電気接点としての電気接点６９が形成されており、該電気接点６９には第１の電気接点としての導電性弾性部材７０が当接している。電気接点６９は２次転写ローラ５の表面と電気的に接続されている。図１において、符号６８ａは駆動ローラ２１の軸部に対するバイアス付与手段６８の接触片を示す。
導電性弾性部材７０は、図２に示すように、基端部を装置本体のフレーム７１にボルト７２で固定され、且つ、図示しない電源に接続されたベース７３と、ベース７３の自由端側に固定された板バネ７４を有している。板バネ７４は、その先端部に水平面内で屈曲形成された弾性変形可能な接点部７４ａを有し、その一部が電気接点６９に当接する接点面７４ａ−１となっている。
【手続補正５】
【補正対象書類名】明細書
【補正対象項目名】００３２
【補正方法】変更
【補正の内容】
【００３２】
図７乃至図９に基づいて第２の実施形態を説明する。上記実施形態と同一部分は同一符号で示し、特に必要がない限り既にした構成上及び機能上の説明は省略して要部のみ説明する（以下の他の実施形態において同じ）。
支持部材６０における２次転写ローラ５の軸方向一端側には、除電針６２の水平に延びる端部をそのまま利用した第２の電気接点としての電気接点７６が形成されており、該電気接点７６には第１の電気接点としての導電性弾性部材７７がその上方から当接している。
導電性弾性部材７７は、図８に示すように、基端部を装置本体の図示しないフレームに固定され、且つ、図示しない電源に接続されたベース７８と、ベース７８の自由端側に固定された板バネ７９を有している。板バネ７９は、その先端部に垂直面内で屈曲形成された弾性変形可能な接点部７９ａを有し、その一部が電気接点７６に当接する接点面７９ａ−１となっている。
【手続補正６】
【補正対象書類名】明細書
【補正対象項目名】００３４
【補正方法】変更
【補正の内容】
【００３４】
図１０に第３の実施形態を示す。本実施形態では、２次転写ローラ５の回転軸５ａの周面に除電針６２に電気的に接続された接触片８１が当接している。２次転写ローラ５の回転軸５ａはステンレス材等の導電材で形成されており、これにより、回転軸５ａの端面は第２の電気接点としての電気接点８２としてなる。該電気接点８２には、装置本体のフレームに基端部を支持された第１の電気接点で導電性弾性部材としてのアース板８３が当接している。アース板８３は、回転軸５ａをその軸心方向（矢印８４方向に付勢している。
アース板８３による付勢力の向きは、コイルバネ６６による付勢方向とは略直交する方向となる。これにより、電気接点に加わる力はコイルバネ６６による２次転写ローラ５に加わる力に影響を与えない。